(57)【要約】【課題】床衝撃音の遮断性能が良好で施工性を向上させる床構造を得る。【解決手段】大引１１の振動は、梁受け部材２４、支持ボルト２２、及び、中間受け部材２０を介して動吸振器へ伝わり、大引１１からの振動を減衰する。減衰された振動は、さらにクッションゴム１８によって減衰されて床スラブ１２へ伝わるので、床衝撃音が良好に遮断される。また、施工時には、従来のように、制振材又は遮音材を床全面に配置する必要がないので、施工性が良い。【選択図】図１
2008095397.tif 000002
【特許請求の範囲】
【請求項１】
床スラブと、
前記床スラブ上に支持され、弾性変形可能であって振動を減衰させる第１弾性部材と、
前記第１弾性部材上に支持され、前記床スラブと反対方向へ延びる支持部材と、
前記支持部材上に支持され、前記床スラブとの間に間隔をもって配置されるビーム材と、
前記ビーム材に取り付けられる床材と、
前記支持部材に支持されて弾性変形可能な第２弾性部材、及び前記第２弾性部材に支持される質量体を含んで構成される動吸振器と、
を有することを特徴とする床構造。
【請求項２】
前記床スラブがコンクリート製であることを特徴とする請求項１記載の床構造。
【請求項３】
前記支持部材に一体化して設けられて受け面を備えた中間受け部を有し、前記受け面に前記第２弾性部材が配置されている、ことを特徴とする請求項１または請求項２に記載の床構造。
【請求項４】
前記第２弾性部材及び前記質量体の中央に挿入孔が形成され、前記挿入孔に前記支持部材が挿入されている、ことを特徴とする請求項１乃至請求項３の何れか１項に記載の床構造。
【請求項５】
前記第２弾性部材は、前記支持部材、及び前記質量体に固着されている、ことを特徴とする請求項１乃至請求項４の何れか１項に記載の床構造。
【請求項６】
前記質量体が前記第２弾性部材を介して複数の前記支持部材に支持されている、ことを特徴とする請求項１乃至請求項５の何れか１項に記載の床構造。
【請求項７】
前記動吸振器を支持した前記支持部材は、前記床スラブにおける振動の発生しやすいスラブ特定領域の上方、又は、前記床材における振動の発生しやすい床特定領域の下方、における範囲内にのみ設けられる、ことを特徴とする請求項１乃至請求項６の何れか１項に記載の床構造。
【請求項８】
大振幅の振動が生じうる第１の配置位置に配置された前記支持部材に支持される前記動吸振器は、前記第１の配置よりも振動の振幅が小さい第２の配置位置に配置された前記支持部材に支持される前記動吸振器よりも振動減衰力が大きく設定されている、ことを特徴とする請求項１乃至請求項７の何れか１項に記載の床構造。
【請求項９】
前記第１の配置位置は、前記床材の上方が区画されていない場合には前記床スラブの中央域の上方、前記床材の上方が区画されている場合には区画された各区画部の中央領域の下方とされる範囲内にある、ことを特徴とする請求項８に記載の床構造。
【請求項１０】
前記第２の配置位置に設けられた前記動吸振器の前記質量体は、前記第１の配置位置に設けられた前記動吸振器の前記質量体に比べて、質量が小さい、ことを特徴とする請求項８または請求項９に記載の床構造。
【請求項１１】
前記動吸振器の質量をｍ、単位面積当たりの前記床材、前記ビーム材、前記支持部材、及び前記第１弾性部材の質量の合計を、前記単位面積当たりの前記動吸振器を支持する前記支持部材の数で除した値をＭとした場合、Ｍ×（１／１５）≦ｍ≦Ｍ×２．５を満足する、ことを特徴とする請求項１乃至請求項１０の何れか１項に記載の床構造。
【請求項１２】
前記動吸振器の質量をｍ（ｋｇ）、前記第２弾性部材のばね定数をｋ（Ｎ／ｍ）として、前記動吸振器における固有振動数ｆ０Ｘ（Ｈｚ）（ｆ０Ｘ＝１／２π×（ｋ／ｍ）１／２）を、前記床スラブを備えた建物の躯体の各固有振動特性、前記建物の内装部の各固有振動特性、又は、予め想定された入力振動特性のいずれかに応じて設定する、ことを特徴とする請求項１乃至請求項１１の何れか１項に記載の床構造。
【発明の詳細な説明】
【技術分野】
【０００１】
本発明は、集合住宅、戸建住宅等の建物に用いられ、支持部材を介して二重床とされた床構造に関する。
【背景技術】
【０００２】
床構造においては、床衝撃音の遮断性能を向上させるために、支持部材を介して床基盤上から所定の高さに床を設ける二重床構造とする場合がある。このような二重床構造として、例えば、特許文献１に記載の制振二重床構造が知られている。
この制振二重床構造では、建物床スラブ上に複数の二重床支柱を立設し、該二重床支柱群上端間に亙り架け渡すように床パネルを載置敷詰める構造の二重床であって、該二重床支柱に上下方向にバネ特性を有する弾性体を介して付加質量を取付けている。
【特許文献１】特許第３０９２０９７号
【発明の開示】
【発明が解決しようとする課題】
【０００３】
しかしながら、この制振二重床構造では、付加質量が床に連結されており、この方法では減衰効果が十分に得られず、床衝撃音の遮断性能に優れた床構造が求められていた。
本発明は、上記事実を考慮して、床衝撃音の遮断性能が良好な床構造を提供することを課題とする。
【課題を解決するための手段】
【０００４】
請求項１に記載の床構造は、床スラブと、前記床スラブ上に支持され、弾性変形可能であって振動を減衰させる第１弾性部材と、前記第１弾性部材上に支持され、前記床スラブと反対方向へ延びる支持部材と、前記支持部材上に支持され、前記床スラブとの間に間隔をもって配置されるビーム材と、前記ビーム材に取り付けられる床材と、前記支持部材に支持されて弾性変形可能な第２弾性部材、及び前記第２弾性部材に支持される質量体を含んで構成される動吸振器と、を有することを特徴としている。
【０００５】
請求項１に記載の床構造によれば、ビーム材に振動が加わった場合、この振動は、支持部材を介して動吸振器の第２弾性部材へ伝わる。これによって、第２弾性部材が弾性変形して質量体が振動を吸収するように振動することで、ビーム材から床スラブへの振動を減衰する。減衰された振動は、さらに第１弾性部材によって減衰されて床スラブへ伝わるので、床衝撃音が良好に遮断される。
ここで、請求項１に記載の床構造によれば、剛性の大きなビーム材が床材を支持するので、床材を支持部材で直接支持する従来構造対比で支持部材の支持ピッチを大きくすることができ、従来構成対比で床衝撃音の伝達（入力）箇所を少なくでき、衝撃力が分散されることにより、従来構成よりも遮音性能を向上できる。また、従来構成対比で動吸振器の設置箇所が少なくて済み、低コストで床構造を提供できる。
【０００６】
請求項２に記載の発明は、請求項１記載の床構造において、前記床スラブがコンクリート製であることを特徴としている。
【０００７】
請求項２に記載の床構造によれば、ビーム材の振動は、動吸振器、及び第１弾性部材によって減衰された後にコンクリート製の床スラブへ伝わる。
【０００８】
請求項３に記載の発明は、請求項１または請求項２に記載の床構造において、前記支持部材に一体化して設けられて受け面を備えた中間受け部を有し、前記受け面に前記第２弾性部材が配置されている、ことを特徴としている。
【０００９】
請求項３に記載の床構造によれば、ビーム材の振動は、中間受け部を介して第２弾性部材及び質量体へ伝えられて減衰させられる。施工時には、第２弾性部材を中間受け部の受け面に配置することになるので、施工性が向上する。
【００１０】
請求項４に記載の発明は、請求項１乃至請求項３の何れか１項に記載の床構造において、前記第２弾性部材及び前記質量体の中央に挿入孔が形成され、前記挿入孔に前記支持部材が挿入されている、ことを特徴としている。
【００１１】
請求項４に記載の床構造によれば、第２弾性部材及び質量体の中央に形成された挿入孔に支持部材を挿入した構成としているので、質量体、及び第２弾性部材の重心位置に支持部材が配置されることになり、支持部材に対して質量体、及び第２弾性部材を安定した状態で保持することができる。
【００１２】
請求項５に記載の発明は、請求項１乃至請求項４の何れか１項に記載の床構造において、前記第２弾性部材は、前記支持部材、及び前記質量体に固着されている、ことを特徴としている。
【００１３】
請求項５に記載の床構造によれば、質量体が振動により第２弾性部材から浮くような不用意な動きが抑えられ、質量体の動きを振動周期に追従させ易くなるので、動吸振効果を高めることが出来る。
【００１４】
請求項６に記載の発明は、請求項１乃至請求項５の何れか１項に記載の床構造において、前記質量体が前記第２弾性部材を介して複数の前記支持部材に支持されている、ことを特徴としている。
【００１５】
請求項６に記載の床構造によれば、複数の支持部材に対して同時に質量体が作用するので、振動を分散して吸収しやすくなる。また、複数の支持部材の各々に質量体を設ける構成に対して、質量体の数を減らすことができる。
【００１６】
請求項７に記載の発明は、請求項１乃至請求項６の何れか１項に記載の床構造において、前記動吸振器を支持した前記支持部材は、前記床スラブにおける振動の発生しやすいスラブ特定領域の上方、又は、前記床材における振動の発生しやすい床特定領域の下方、における範囲内にのみ設けられる、ことを特徴としている。
【００１７】
請求項７に記載の床構造によれば、動吸振器が、床スラブにおける振動の発生しやすいスラブ特定領域の上方、又は、前記床材における振動の発生しやすい床特定領域の下方、における範囲内にのみ設けられることで、振動を有効に減衰して衝撃音を低減するので、床衝撃音の遮断性能を良好とすることが可能となる。また、特定領域以外の領域では、動吸振器を設けない支持部材でビーム材を支持すれば良いので、コストを抑えることができる。
【００１８】
請求項８に記載の発明は、請求項１乃至請求項７の何れか１項に記載の床構造において、大振幅の振動が生じうる第１の配置位置に配置された前記支持部材に支持される前記動吸振器は、前記第１の配置よりも振動の振幅が小さい第２の配置位置に配置された前記支持部材に支持される前記動吸振器よりも振動減衰力が大きく設定されている、ことを特徴としている。
【００１９】
請求項８に記載の床構造によれば、大振幅の振動が生じうる第１の配置位置に配置された支持部材に支持される動吸振器は大きな振動減衰力を備え、第１の配置よりも振動の振幅が小さい第２の配置位置に配置された支持部材に支持される動吸振器は、第１の配置位置に配置された支持部材に支持される動吸振器に比べて小さな振動減衰力を備えているので、ビーム材に大振幅の振動が生じた場合にも、床衝撃音が良好に遮断される。
【００２０】
請求項９に記載の発明は、請求項８に記載の床構造において、前記第１の配置位置は、前記床材の上方が区画されていない場合には前記床スラブの中央域の上方、前記床材の上方が区画されている場合には区画された各区画部の中央領域の下方とされる範囲内にある、ことを特徴としている。
【００２１】
床材の上方が区画されていない場合には、ビーム材の中でも床スラブの中央域の上方に位置する部分の振動振幅が大きく、床材の上方が区画されている場合には、ビーム材の中でも、区画された各区画部の中央領域の下方に位置する部分の振動振幅が大きい。したがって、このように振動振幅の大きい第１の配置位置には、振動減衰力の大きな動吸振器を配置することが、床衝撃音が良好に遮断する上で効果的となる。
【００２２】
請求項１０に記載の発明は、請求項８または請求項９に記載の床構造において、前記第２の配置位置に設けられた前記動吸振器の前記質量体は、前記第１の配置位置に設けられた前記動吸振器の前記質量体に比べて、質量が小さい、ことを特徴としている。
【００２３】
請求項１０に記載の床構造によれば、第２の配置位置に設けられた動吸振器の質量体が、第１の配置位置に設けられた動吸振器の質量体に比べて、質量が小さくなっているので、床構造全体における質量体の合計質量を抑えることができ、施工性が良い。
【００２４】
請求項１１に記載の発明は、請求項１乃至請求項１０の何れか１項に記載の床構造において、前記動吸振器の質量をｍ、単位面積当たりの前記床材、前記ビーム材、前記支持部材、及び前記第１弾性部材の質量の合計を、前記単位面積当たりの前記動吸振器を支持する前記支持部材の数で除した値をＭとした場合、Ｍ×（１／１５）≦ｍ≦Ｍ×２．５を満足する、ことを特徴としている。
【００２５】
請求項１１に記載の床構造では、Ｍ×（１／１５）≦ｍ≦Ｍ×２．５を満足しているので、床衝撃音を良好に遮断することができる。
【００２６】
請求項１２に記載の発明は、請求項１乃至請求項１０の何れか１項に記載の床構造において、前記動吸振器の質量をｍ（ｋｇ）、前記第２弾性部材のばね定数をｋ（Ｎ／ｍ）として、前記動吸振器における固有振動数ｆ０Ｘ（Ｈｚ）（ｆ０Ｘ＝１／２π×（ｋ／ｍ）１／２）を、前記床スラブを備えた建物の躯体の各固有振動特性、前記建物の内装部の各固有振動特性、又は、予め想定された入力振動特性のいずれかに応じて設定する、ことを特徴としている。
【００２７】
請求項１２に記載の床構造によれば、動吸振器における固有振動数ｆ０Ｘ（Ｈｚ）（ｆ０Ｘ＝１／２π×（ｋ／ｍ）１／２）を、前記床スラブを備えた建物の躯体の各固有振動特性、その建物の内装部の各固有振動特性、又は、予め想定された入力振動特性のいずれかに応じて設定することで、床衝撃音が良好に遮断される。
【発明の効果】
【００２８】
以上説明したように、本発明の床構造及び床支持具によれば、従来よりも床衝撃音の遮断性能を良好にできる。
【発明を実施するための最良の形態】
【００２９】
（第１の実施形態）
本発明における床構造及び床構造に適用される床支持具の第１の実施形態を図面に基づき説明する。なお、図中の矢印ＵＰは床構造における上方向を示す。
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００３０】
本実施形態の床構造１０は、間隔を置いて配置された複数本の大引１１を備え、大引１１の上には、大引１１と交差する方向に延びる複数本の根太１３が間隔を置いて配置されている。そして、この床構造１０は、躯体床となるコンクリート製の床スラブ１２と上床材１４の貼り付けられた大引１１との間に、所定の間隔で複数本並べられた床支持具１６を介在させており、床支持具１６の介在によって床スラブ１２と上床材１４の貼り付けられた大引１１との間に空間を形成して遮音効果を得る状態としている。
なお、本実施形態の上床材１４は、捨て板１４Ｂの上に仕上げ材１４Ｃを設けた積層構造となっている。
【００３１】
図２に示されるように、床支持具１６は、床スラブ１２上に配置される第１弾性部材としてのクッションゴム１８を備える。クッションゴム１８は、略円筒状とされており、大引１１からの振動を減衰させるために、床スラブ１２上に支持されるものであり、弾性変形可能とされる。
【００３２】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００３３】
支持ボルト２２は、クッションゴム１８と反対側、すなわち、床スラブ１２と反対方向へ延びて、梁受け部材２４を介して大引１１を支持するようになっている。梁受け部材２４は、円筒状とされて一方開口部から外側へ向けて突き出した鍔部２４Ａを備える。梁受け部材２４の円筒部２４Ｂは、大引１１の孔１１Ａ内に挿入されて固着され、鍔部２４Ａの上面（大引１１側へ向けられた面）が大引１１の下面（床スラブ１２と対向する側の面）に固着される。梁受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、大引１１は、床スラブ１２との間に間隔をもって配置される。
【００３４】
支持ボルト２２の先端部には、マイナスドライバを差し込むための溝（図示省略）が形成されており、大引１１の上に根太１３が載せられる前の状態において、マイナスドライバを支持ボルト２２の溝（図示省略）に差し込んで支持ボルト２２を回転させることによって、床スラブ１２からの大引１１の高さを調節することができるようになっている。
【００３５】
中間受け部材２０のフランジ部２０Ａの上面である受け面２０Ｃには、動吸振器の構成要素の一つである第２弾性部材としてのクッション台座２６が配置されており、クッション台座２６の下面が受け面２０Ｃに加硫接着、又は接着剤等によって固着されている。
クッション台座２６は、円筒状とされて中央に挿入孔２６Ａが形成されており、この挿入孔２６Ａに支持ボルト２２が非接触で挿入された状態となっている。クッション台座２６は、大引１１からの振動を受けるために、中間受け部材２０を介して支持ボルト２２に支持されるものであり、軟質ゴムで構成されて弾性変形可能とされる。
【００３６】
クッション台座２６は、設置状態での上部が薄肉筒状で上方へ突出した突出部２６Ｃとされている。突出部２６Ｃの内径は、クッション台座２６の下部における内径と同様となっている。突出部２６Ｃの外周には、筒状の取付金具３８が配置されている。取付金具３８は、設置状態における下部に、径方向外側へ延びるフランジ部３８Ａを備え、このフランジ部３８Ａがクッション台座２６の上向き面２６Ｄの上に配置されている。クッション台座２６の上向き面２６Ｄは、取付金具３８のフランジ部３８Ａの下面へ加硫接着されている。
【００３７】
取付金具３８は、設置状態における上部に、筒部３８Ｂを備えており、筒部３８Ｂの外周部には、雄ネジ部が形成されている。筒部３８Ｂの外周には、質量体４０の一部を構成するプレート部４１が配置され、このプレート部４１の中央部に形成された貫通孔４１Ａの雌ネジ部に筒部３８Ｂの雄ネジ部が螺合される。
【００３８】
図３に示されるように、質量体４０のプレート部４１は、矩形板状とされており、長手方向の両端側の下面に、質量体４０の一部を構成する円柱状の丸鋼４２が溶接されている。本実施形態では、丸鋼４２における溶接部分は、丸鋼４２の軸方向中間部とされている。丸鋼４２の軸方向は、プレート部４１の長手方向に対して直交している。丸鋼４２には、汎用材料である規格品の丸鋼を所定長さに切断したものを適用している。このため、質量体４０の製造が容易であると共に、材料費を抑えることができる。
【００３９】
本実施形態では、クッション台座２６が動吸振器のバネ、取付金具３８及び質量体４０が動吸振器の質量に対応している。
なお、支持ボルト２２は、クッション台座２６の重心、及び質量体４０の重心を通っている。また、質量体４０によって、クッション台座２６には圧縮方向の荷重が作用している。
【００４０】
以上のような構成によれば、質量体４０は、取付金具３８を介してクッション台座２６に支持され、クッション台座２６の弾性変形によって変位して大引１１からの振動を減衰させる。ここで、質量体４０においては、サイズが大きい丸鋼４２がクッション台座２６の側方に配置されるので、床支持具１６をコンパクトに設置でき、図１（Ｂ）に示されるように、床スラブ１２から大引１１までの高さＨを抑えることができる。
【００４１】
また、図２に示すように、取付金具３８の筒内側にクッション台座２６の突出部２６Ｃが配置されることで、支持ボルト２２と取付金具３８とが接近することがあっても、支持ボルト２２が取付金具３８に直接接触する事はないので、異音の発生を防止することができる。
【００４２】
さらに、質量体４０は、取付金具３８に螺合させるだけで取り付けることができるので、クッション台座２６を大型の質量体へ加硫接着させる場合に比べて床支持具１６を製造しやすい。
【００４３】
（第１の実施形態の施工手順）
次に、図２に示される床支持具１６を用いて二重床の床構造１０を構成する際の施工手順について説明する。
【００４４】
まず、一体化されたクッションゴム１８、中間受け部材２０、クッション台座２６取付金具３８、及び質量体４０を、クッションゴム１８を下にして床スラブ１２上に設置する。
次に、クッション台座２６の挿入孔２６Ａに支持ボルト２２を上方から挿入し、支持ボルト２２の雄ネジ部２２Ａを中間受け部材２０の雌ネジ部２０Ｂに螺合させて取り付け、直立させる。次に、支持ボルト２２の雄ネジ部２２Ｂに梁受け部材２４の雌ネジ部２４Ｃを螺合させる。
【００４５】
次に、梁受け部材２４の鍔部２４Ａ上に大引１１を固着する。ここで、マイナスドライバを支持ボルト２２の溝（図示省略）に差し込んで支持ボルト２２を回転させることによって、床スラブ１２からの大引１１の高さを調節する。
【００４６】
そして、大引１１の上に根太１３、捨て板１４Ｂ、及び仕上げ材１４Ｃが敷設され、以上によって、二重床の床構造１０が構成される。
【００４７】
（第１実施形態の作用）
次に、上記の実施形態の作用を説明する。
上階で発せられた床衝撃音（例えば、歩行音等）の振動は、根太１３を介して大引１１に伝わる。そして、大引１１の振動は、梁受け部材２４、支持ボルト２２、及び中間受け部材２０を介してクッション台座２６へ伝わる。これによって、クッション台座２６が弾性変形し、質量体４０が振動を吸収するように上下動することで、大引１１の振動を減衰する（動吸振器により振動が減衰。）。
【００４８】
ここで、クッション台座２６は、支持ボルト２２を囲んで配置されているため、支持ボルト２２に沿って弾性変形することになり、また、質量体４０も支持ボルト２２を囲んで配置されているため、支持ボルト２２に沿って移動することになるので、動吸振の作用が安定する。
【００４９】
また、中間受け部材２０にクッション台座２６が固着され、クッション台座２６に質量体４０が固着されているので、例えば、振動によって質量体４０がクッション台座２６から浮く等のような無駄な移動を抑えられ、また、質量体４０の移動を振動周期に追従させ易くなるので、動吸振効果を高めることができる。
減衰された振動は、さらにクッションゴム１８によって減衰されて床スラブ１２へ伝わる。このため、床衝撃音が良好に遮断される。
【００５０】
（第２実施形態）
次に、床構造及び床構造に適用される床支持具の第２の実施形態を図４に基づき説明する。なお、第１の実施形態と同様の構成には同一符号を付し、その説明は省略する。
図４に示されるように、本実施形態の床構造１０では、梁材１７の上に捨て板１４Ｂ、及び仕上げ材１４Ｃが貼り付けられており、床支持具１６が梁材１７を支持している。なお、図４（Ａ）中、点線の丸印部分に、床支持具１６が配置されている。
【００５１】
本実施形態において、振動を減衰させる作用、及び効果は第１の実施形態と同様であり、動吸振器によって梁材１７の振動が抑えられる。
【００５２】
（第３実施形態）
次に、床構造及び床構造に適用される床支持具の第３の実施形態を図５に基づき説明する。なお、前述した実施形態と同様の構成には同一符号を付し、その説明は省略する。
【００５３】
図５に示されるように、本実施形態の床構造１０では、溝型鋼（チャンネル）１９の上に捨て板１４Ｂ、及び仕上げ材１４Ｃが貼り付けられており、床支持具１６が溝型鋼１９を支持している。本実施形態において、振動を減衰させる作用、及び効果は第１の実施形態と同様であり、動吸振器によって溝型鋼１９の振動が抑えられる。
【００５４】
（第４実施形態）
次に、床構造及び床構造に適用される床支持具の第４の実施形態を図６に基づき説明する。なお、前述した実施形態と同様の構成には同一符号を付し、その説明は省略する。
【００５５】
図６に示されるように、本実施形態では、突出部２６Ｃの形成されていないクッション台座２６の上に、中央に貫通孔２８Ａの形成された厚肉円盤状の質量体２８が接着されている。クッション台座２６、及び質量体２８の形状が第１の実施形態とは異なるが、振動を減衰させる作用、及び効果は第１の実施形態と同様である。
【００５６】
（第５実施形態）
次に、床構造及び床構造に適用される床支持具の第５の実施形態を図７に基づき説明する。第５の実施形態は、各質量体が複数の支持ボルト２２に支持される点が特徴であり、他の構成については、前述した実施形態とほぼ同様の構成であるので、同一符号を付して説明を省略する。なお、中間受け部としての中間受け部材３４は、以下に説明する点を除いて前述した実施形態で説明した中間受け部材２０と同様の構成である。
【００５７】
図７に示されるように、中間受け部材３４は、クッションゴム１８の上面に沿ったフランジ部３４Ａの先端部分からクッションゴム１８の側部にほぼ沿って下方へ延びる筒部３４Ｂを備えると共に、筒部３４Ｂの先端部分から外側へ向かって鍔状に延びる受け部３４Ｃを備える。受け部３４Ｃと床スラブ１２との間には、振動時に受け部３４Ｃが床スラブ１２に触れない程度の間隔が設けられている。受け部３４Ｃの上面は、クッション台座２６を配置するための受け面とされており、クッション台座２６が接着剤等によって固着されている。
【００５８】
各質量体２８は、これらの複数のクッション台座２６上に接着剤等によって固着されており、クッション台座２６、中間受け部材３４を介して複数の支持ボルト２２に支持される。これにより、振動時における質量体２８の移動は、クッション台座２６、中間受け部材３４を介して複数の支持ボルト２２に分散して伝わることになり、振動が吸収され易くなる。
【００５９】
（その他の実施形態）
なお、上記実施形態では、第２弾性部材としてのクッション台座２６が、支持部材としての支持ボルト２２に支持されていたが、大引１１、根太１３、梁材１７、溝型鋼１９等のビーム材に支持される構成としても良い。
【００６０】
また、上記実施形態では、第２弾性部材が軟質ゴムで構成されたクッション台座２６である場合を例に挙げて説明したが、第２弾性部材は、例えば、圧縮コイルバネ等のような弾性変形可能な他の弾性部材であってもよい。
【００６１】
さらに、上記実施形態では、第２弾性部材としてのクッション台座２６が接着剤等によって中間受け部材２０、３４に固着されているが、第２弾性部材は、例えば、支持部材に直接固着される等のように、上記実施形態以外の配置された位置に固着される構成としてもよい。また、第２弾性部材は、機械的接合によって中間受け部等の配置された位置に取り付けられてもよい。
【００６２】
さらにまた、上記実施形態では、中間受け部としての中間受け部材２０、３４が、支持部材としての支持ボルト２２に取り付けられて一体化されているが、支持部材の一部に中間受け部を形成してもよい。
【００６３】
なお、上記実施形態では、床スラブ１２がコンクリート製であるコンクリート床の場合について説明したが、床スラブは、木製等の他の床スラブであってもよい。
【００６４】
動吸振器（クッション台座２６、質量体２８、質量体４０、取付金具３８等）の質量をｍ、単位面積当たりの床材１４、ビーム部材（大引１１、根太１３、梁材１７、溝型鋼１９等）、支持部材（支持ボルト２２、梁受け部材２４、中間受け部材２０、中間受け部材３４等）、及び第１弾性部材（クッションゴム１８）の質量の合計を、前記単位面積当たりの動吸振器を支持する支持部材（支持ボルト２２）の数で除した値をＭとした場合、Ｍ×（１／１５）≦ｍ≦Ｍ×２．５を満足することが好ましく、これにより、床衝撃音を良好に遮断することができる。
【００６５】
動吸振器（クッション台座２６、質量体２８、質量体４０、取付金具３８等）の質量をｍ（ｋｇ）、第２弾性部材（クッション台座２６）のばね定数をｋ（Ｎ／ｍ）として、動吸振器における固有振動数ｆ０Ｘ（Ｈｚ）（ｆ０Ｘ＝１／２π×（ｋ／ｍ）１／２）を、床スラブ１２を備えた建物の躯体の各固有振動特性、建物の内装部の各固有振動特性、又は、予め想定された入力振動特性のいずれかに応じて設定することが好ましく、これにより、床衝撃音を良好に遮断することができる。
【００６６】
上記実施形態では、床スラブ１２上全体に渡って動吸振器付きの床支持具１６を配置したが、動吸振器付きの床支持具１６は、床スラブ１２における振動の発生しやすいスラブ特定領域の上方、又は、床材１４における振動の発生しやすい床特定領域の下方、における範囲内にのみ設け、その他の領域には、動吸振器の取り付けられていない床支持具１６を設けるようにしても良い。この場合も、動吸振器が振動を有効に減衰して衝撃音を低減するので、床衝撃音の遮断性能を良好とすることが可能となる。
【００６７】
なお、スラブ特定領域とは、より具体的には、例えば、床スラブ１２の中央部分、床スラブ１２の振動の腹となる位置を含む部分のことである。
また、床特定領域とは、より具体的には、例えば、床材１４の上方に収容部（押入れ、クローゼット等）、歩行用通路（廊下等）、洗濯機等の振動発生機器を設置するための機器設置領域のことである。
【００６８】
床支持具１６の配置位置を、大振幅の振動が生じうる第１の配置位置と、第１の配置よりも振動の振幅が小さい第２の配置位置とに分けた時に、大振幅の振動が生じうる第１の配置位置に配置された床支持具１６の動吸振器は、第１の配置よりも振動の振幅が小さい第２の配置位置に配置された床支持具１６の動吸振器よりも振動減衰力を大きく設定することが好ましい。これにより、ビーム材に大振幅の振動が生じた場合にも、床衝撃音を良好に遮断することができる。
【００６９】
ここで、振動減衰力を小さくするには、例えば、動吸振器の質量体４０（または質量体２８）の質量を小さくすることで実現できる。第２の配置位置に設けられた動吸振器の質量体４０（または質量体２８）の質量を、第１の配置位置に設けられた動吸振器の質量体４０（または質量体２８）の質量に比べて小さく設定することで、床構造全体における質量体４０（または質量体２８）の合計質量を抑えることができ、施工性を向上することができる。
【００７０】
また、床材１４の上方が区画されていない場合には、ビーム材の中でも床スラブ１２の中央域の上方に位置する部分の振動振幅が大きく、床材１４の上方が区画されている場合には、ビーム材の中でも、区画された各区画部の中央領域の下方に位置する部分の振動振幅が大きい。したがって、このように振動振幅の大きい第１の配置位置には、振動減衰力の大きな動吸振器を配置することが、床衝撃音が良好に遮断する上で効果的となる。
【００７１】
上記実施形態では、動吸振器を中間受け部材２０（または中間受け部材３４）を支持ボルト２２に連結したが、動吸振器を直接ビーム材（大引１１、根太１３、梁材１７、溝型鋼１９等）に取り付けても良い。
【００７２】
（試験例）
本発明の効果を確かめるために、本発明の適用された実施例の床構造を３種、及び比較例に係る床構造を１種試作し、床衝撃音の低減効果の比較試験を行った。
以下に各々の床構造を説明する。
【００７３】
比較例：図８に示すように、ベースパネル１４Ａ、捨て板１４Ｂ、及び仕上げ材１４Ｃの３層からなる上床材１４が、床支持金具１６によって床スラブ１２上に支持されている（ビーム材無し）。なお、床のサイズ、及び床支持金具１６の配置間隔は、図中に示されている通りである。動吸振器は４８個使用。
【００７４】
実施例１：第１の実施形態で説明した床構造であり、大引１１が床支持金具１６によって床スラブ１２上に支持されている。なお、大引、及び根太の材質は木材であり、大引の断面寸法は９０×９０ｍｍ、根太の断面寸法は３６×４５ｍｍである。動吸振器は２０個使用（図１参照。）。
【００７５】
実施例２：第２の実施形態で説明した床構造であり、梁材１７が床支持金具１６によって床スラブ１２上に支持されている。なお、梁の断面寸法は１５０×２００ｍｍである。動吸振器は２０個使用（図４参照。）。
【００７６】
実施例３：第３の実施形態で説明した床構造であり、溝型鋼１９が床支持金具１６によって床スラブ１２上に支持されている。なお、溝型鋼の断面寸法は、１００×５０×５×７．５ｍｍである。第１，２実施例では、ビーム材が木材であったが、この実施例ではビーム材を木材から鋼材にすることで、ビーム材のヤング率を上げ、ビーム材の剛性を上げている。このため、実施例１，２に比較してビーム材の高さ寸法が小さくなり、床下空間が少なくて済む。動吸振器は３０個使用（図５参照。）。
【００７７】
試験方法：床面で床衝撃音を発生させ、動吸振器を全く取り付けない構成の床構造における重量床衝撃音レベルを基準にして、重量床衝撃音レベルの改善量（ｄＢ）を調べた。なお、比較した周波数は、６３Ｈｚ、１２５Ｈｚ、２５０Ｈｚ、５００Ｈｚとした。
【００７８】
【表１】
2008095397.tif 000003
試験の結果、ビーム材に動吸振器を連結した実施例の床構造は、ビーム材が無く、床材に動吸振器を連結した比較例に対し、動吸振器の設置数が少なく、重量床衝撃音レベルの改善効果に優れていることが分かる。
【００７９】
実施例の床構造は、剛性の大きなビーム材を使用することにより、十分な床剛性を保ちつつ、床支持金具の支持ピッチを大きくすることができるので、床衝撃音の伝達（入力）箇所が少なくなり、衝撃力が分散されることにより、比較例よりも遮音性能が向上している。また、実施例の床構造では、比較例よりもｌ動吸振器の設置箇所が少なく、安価な床構造を提供できる。
【図面の簡単な説明】
【００８０】
【図１】（Ａ）は本発明の第１の実施形態に係る床構造を示す平面図であり、（Ｂ）は本発明の第１の実施形態に係る床構造及び床支持具の縦断面を示す断面図である。
【図２】床支持具を拡大した拡大断面図である。
【図３】質量体の斜視図である。
【図４】（Ａ）は本発明の第２の実施形態に係る床構造を示す平面図であり、（Ｂ）は本発明の第２の実施形態に係る床構造及び床支持具の縦断面を示す断面図である。
【図５】（Ａ）は本発明の第３の実施形態に係る床構造を示す平面図であり、（Ｂ）は本発明の第３の実施形態に係る床構造及び床支持具の縦断面を示す断面図である。
【図６】本発明の第４の実施形態に係る床構造及び床支持具の縦断面を示す断面図である。
【図７】本発明の第５の実施形態に係る床構造及び床支持具の縦断面を示す断面図である。
【図８】（Ａ）は比較例に係る床構造を示す平面図であり、（Ｂ）は比較例に係る床構造及び床支持具の縦断面を示す断面図である。
【符号の説明】
【００８１】
１０    床構造
１１    大引（ビーム材）
１２    床スラブ
１３    根太（ビーム材）
１４    上床材（床材）
１７    梁材（ビーム材）
１９    溝型鋼（ビーム材）
１８    クッションゴム（第１弾性部材）
２０    中間受け部材（中間受け部）
２２    支持ボルト（支持部材）
２６    クッション台座（第２弾性部材。動吸振器）
２８    質量体（動吸振器）
３４    中間受け部材（中間受け部）
３８    取付金具（動吸振器）
４０    質量体（動吸振器）
【図１】
2008095397.tif 000004
【図２】
2008095397.tif 000005
【図３】
2008095397.tif 000006
【図４】
2008095397.tif 000007
【図５】
2008095397.tif 000008
【図６】
2008095397.tif 000009
【図７】
2008095397.tif 000010
【図８】
2008095397.tif 000011